(57)【特許請求の範囲】
【請求項１】
複写機等の機器本体に取り付けられると共に上部が開口したヒンジケースと、該ヒンジケースの上部に設けた取付ブラケットに挿設される枢着軸と、該枢着軸に回動自在に取り付けられると共に原稿圧着板を一体的に取り付ける回動アームと、該回動アームの下側に一体的に設けられるカム部材と、上記ヒンジケース内にスライド自在に収められるスライダーと、上記ヒンジケース内に収められると共に前記スライダーの上面を上記カム部材に弾性的に当接せしめる圧縮スプリングから成る原稿圧着板の開閉装置において、回転しないように固定された上記枢着軸に第１作動バネを取り付け、該第１作動バネの他端部を該枢着軸の軸方向に平行に延設した作動ピンに、低角度にまで回転下降した上記カム部材の下面を当接せしめて、該カム部材の自由落下速度を緩衝せしめるように構成したことを特徴とする原稿圧着板の開閉装置。
【請求項２】
上記第１作動バネの作動ピンを、第２作動バネの作動ピンに当接せしめて、該第１作動バネが空転方向に作用する力を発揮せしめるように構成したことを特徴とする請求項１に記載の原稿圧着板の開閉装置。
【発明の詳細な説明】
【技術分野】
【０００１】
本発明は、複写機、ファクシミリ、スキャナ、プリンタ或いはそれらの複合機などの電子画像処理装置における原稿圧着板の開閉装置に関するものである。
【背景技術】
【０００２】
従来の原稿圧着板の開閉装置としては、複写機等の機器本体に取り付けられると共に上部が開口したヒンジケースと、該ヒンジケースの上部に設けた取付ブラケットに挿設される回転軸と、該回転軸に回動自在に取り付けられると共に原稿圧着板を一体的に取り付ける回動アームと、該回動アームの下側に一体的に設けられるカム部材と、上記ヒンジケース内にスライド自在に収められるスライダーと、上記ヒンジケース内に収められると共に前記スライダーの上面を上記カム部材に弾性的に当接せしめる圧縮スプリングから構成されるものがある。
【０００３】
上記原稿圧着板の開閉装置は、原稿圧着板、すなわち回動アームを開の状態から閉じる方向に回動させると、特に低角度（０°〜約１５°）では、下降モーメントが急に増大して加速がかかり、器材の衝撃による損傷の恐れがあった。
【０００４】
そこで、従来、上記回動アームの急激な降下を緩和する手段として、特に軽量の開閉装置では、緩衝バネを設けたり、或いはヒンジケースにスライダーを圧入させるものが主流であり、また、原稿圧着板が自由落下する範囲で、一時的に摩擦抵抗を増加させて衝撃の緩和を図るものがあった。
【０００５】
しかしながら、上記従来の対策では、衝撃緩和を図っていないか、ヒンジケースにスライダーを圧入させるものはクリープによる変形が生じて耐久性に問題があり、また、外形変更により汎用できない等の問題点があり、それらの問題点を解決した原稿圧着板の開閉装置が要請されていた。
【発明の概要】
【発明が解決しようとする課題】
【０００６】
本発明が解決しようとする課題は、長期間安定した機能を発揮できるだけでなく、外形変更がないために各種の機器に汎用できる原稿圧着板の開閉装置を提供することにある。
【課題を解決するための手段】
【０００７】
本発明の原稿圧着板の開閉装置は、複写機等の機器本体に取り付けられると共に上部が開口したヒンジケースと、該ヒンジケースの上部に設けた取付ブラケットに挿設される枢着軸と、該枢着軸に回動自在に取り付けられると共に原稿圧着板を一体的に取り付ける回動アームと、該回動アームの下側に一体的に設けられるカム部材と、上記ヒンジケース内にスライド自在に収められるスライダーと、上記ヒンジケース内に収められると共に前記スライダーの上面を上記カム部材に弾性的に当接せしめる圧縮スプリングから成る原稿圧着板の開閉装置において、回転しないように固定された上記枢着軸に第１作動バネを取り付け、該第１作動バネの他端部を該枢着軸の軸方向に平行に延設した作動ピンに、低角度にまで回転下降した上記カム部材の下面を当接せしめて、該カム部材の自由落下速度を緩衝せしめるように構成したことを特徴とする。また、上記第１作動バネの作動ピンを、第２作動バネの作動ピンに当接せしめて、該第１作動バネが空転方向に作用する力を発揮せしめるように構成したことを特徴とする。
【発明の効果】
【０００８】
本発明の原稿圧着板の開閉装置は、長期間安定した機能を発揮できるだけでなく、外形変更がないために各種の機器に汎用できる利点がある。
【図面の簡単な説明】
【０００９】
【図１】本発明の原稿圧着板の開閉装置の一実施例を示す斜視図である。
【図２】図１の装置の側断面図である。
【図３】図１の装置の回動アームを取り除いた状態の斜視図である。
【図４】図１の装置の要部の拡大断面図である。
【図５】図１の装置の分解斜視図である。
【図６Ａ】図１の取付ブラケットの一方向から見た斜視図である。
【図６Ｂ】図１の取付ブラケットの他方向から見た斜視図である。
【図７】図１の装置の要部を拡大した説明図である。
【発明を実施するための形態】
【００１０】
以下、本発明の実施例について、図面を参照しながら説明する。
図１および図２において、１は、複写機等の機器本体（図示せず）に取り付けられるヒンジケース、２は回動アーム、３はカム部材、４は枢着軸、５はスライダー、６は圧縮スプリングである。
【００１１】
上記ヒンジケース１は、上部が開口している。該ヒンジケース１の１組の相向かい合う２つの側面の上部には、取付ブラケット１ａが設けられている。
【００１２】
上記回動アーム２は、その上面に原稿圧着板（図示せず）を一体的に取り付けるようになっており、その回動基部には、枢着軸用挿通孔２ａが穿設されている。該回動アーム２の下側には、上記カム部材３が一体的に設けられている。
【００１３】
上記枢着軸４は、上記ヒンジケース１の上記取付ブラケット１ａの枢着軸用挿通孔１ｂおよび上記回動アーム２の枢着軸用挿通孔２ａに挿通されている。該回動アーム２は、上記枢着軸４を介して、上記ヒンジケース１に回動自在に組み付けられている。
【００１４】
上記スライダー５は、上記ヒンジケース１の内面に上下にスライドするように収められている。該スライダー５の上面は、上記カム部材３のカム面に当接する。
【００１５】
上記圧縮スプリング６は、上記ヒンジケース１の底壁と上記スライダー５との間に収められていて、該スライダー５を上記カム部材３のカム面に弾性的に当接せしめる。
【００１６】
従って、上記回動アーム２に取り付けられた原稿圧着板は、上記圧縮スプリング６の弾発力により、上記スライダー５およびカム部材３等を介して、開く方向に付勢されている。
【００１７】
図３は、上記回動アーム２を取り除いた状態を示すもので、上記枢着軸４の先端部は四角形４ａに形成されていて、一方の取付ブラケット１ａに形成された四角穴１ｂ′（図６（Ａ）参照）に嵌挿されており、枢着軸４が回転しないように固定している。枢着軸４の回転止め構造は、これに限定するものではない。
【００１８】
上記枢着軸４には、第１作動バネ７が取り付けられている。本実施例では、前記第１作動バネ７は、図示のようにトーションバネにより構成されていて、その他端部は、枢着軸４の軸方向と平行に延設され、且つ、取付ブラケット１ａに形成された弧状孔１ｃを貫通する作動ピン７ａとなっている。（図６Ａ参照）上記第１作動バネ７は、該作動ピン７ａを前記弧状孔１ｃの上端方向に弾性的に付勢している。（図３参照）
【００１９】
図４および図５から明らかなように、上記第１作動バネ７は、上記回動アーム２の枢着軸用挿通孔２ａの拡大孔部分２ａ′内に納められているので、開閉装置の外形寸法を変更しないで済む。上記作動ピン７ａは、回動アーム２の下側面に弾性的に当接する。
【００２０】
図６Ｂから明らかなように、上記弧状孔１ｃが形成されている取付ブラケット１ａの外側面には、Ｃ形突状部１ｄが一体的に形成されている。該Ｃ形突状部１ｄは、少なくとも上記弧状孔１ｃの部分では、欠けている。
【００２１】
図７に示すように、上記Ｃ形突状部１ｄ内には第２作動バネ８が納められているので、開閉装置の外形寸法を変更しないで済む。また、該第２作動バネ８は、枢着軸４の鍔により覆い隠されているので、外観を壊す恐れがない。上記第２作動バネ８の一端部は、上記Ｃ形突状部１ｄの内面の平坦部に当接していて、第２作動バネ８に空転方向に作用する力を発揮する。第２作動バネ８の他端部の作動ピン８ａは、原稿圧着板、すなわち、上記回動アーム２が閉じた状態から、例えば１３°程度まで開いた角度（低角度）の間、上記第１作動バネ７の作動ピン７ａを上方（上記回動アーム２を開く方向、図７で反時計方向）に弾性的に当接する。
【００２２】
本実施例の原稿圧着板の開閉装置は、以上のように構成されているので、図２の仮想線で示すように、回動アーム２が１３°程度にまで閉じる方向に回動した時に、該回動アーム２の下面が第１作動バネ７の作動ピン７ａに当接し、該回動アーム２の更なる閉回動に伴って、該作動ピン７ａを押し下げる。
【００２３】
上記作動ピン７ａは、第２作動バネ８の作動ピン８ａに当接しているので、作動ピン７ａの下降移動に伴って上記作動ピン８ａを押し下げる。これら作動ピン７ａ、８ａは、それらの押し下げに伴って第1および第２作動バネ７，８により、弾性的に抵抗するので、上記回動アーム２の回転下降の自由落下速度を緩衝する。
【符号の説明】
【００２４】
１    ヒンジケース
１ａ  取付ブラケット
１ｂ  枢着軸用挿通孔
１ｂ′四角穴
１ｃ  弧状孔
１ｄ  Ｃ形突状部
２    回動アーム
２ａ  枢着軸用挿通孔
２ａ′拡大孔部分
３    カム部材
４    枢着軸
４ａ  四角形
５    スライダー
６    圧縮スプリング
７    第１作動バネ
７ａ  作動ピン
８    第２作動バネ
８ａ  作動ピン
【図１】
0005435777.tif 000002
【図２】
0005435777.tif 000003
【図３】
0005435777.tif 000004
【図４】
0005435777.tif 000005
【図５】
0005435777.tif 000006
【図６Ａ】
0005435777.tif 000007
【図６Ｂ】
0005435777.tif 000008
【図７】
0005435777.tif 000009